(57)【要約】【課題】脚間に横架材を有し、オフィス等に好適に用いられる机の天板下方の空間に好適に収納可能であるとともに、段差を容易に乗り越させて移動させることができるワゴンを提供する。【解決手段】脚Ｄ１間かつ天板Ｄ２の下方にあたる位置に横架材Ｄ３が設けられている机Ｄとともに用いられるワゴンＷにおいて、前方に開口する収納空間をワゴン本体１に形成するとともに、ワゴン本体１の後上端部に前記横架材Ｄ３を収納可能な凹部１ｘを設け、この凹部１ｘの外壁をなす凹部外壁部材１５に後把手１５１を一体に設ける。【選択図】図２
2004202176.tif 000002
【特許請求の範囲】
【請求項１】
脚間かつ天板の下方にあたる位置に横架材が設けられている机とともに用いられ、前方に開口する収納空間をワゴン本体に形成しているとともに、ワゴン本体の後上端部に幅寸法全域にわたって前記横架材を収納可能な凹部を設け、この凹部の外壁の少なくとも一部をなす凹部外壁部材に後把手を一体に設けていることを特徴とするワゴン。
【請求項２】
前記凹部外壁部材に、その上部に起立面を設けているとともに、この起立面が横架材の前面に面的に当接し、さらにこの起立面の下端を前記横架材の下端と一致させるか又はさらに下方に位置付けていることを特徴とする請求項１記載のワゴン。
【請求項３】
前記後把手を前方に突出させて設け、この後把手の上面をワゴン本体の一部に当接させていることを特徴とする請求項１又は２記載のワゴン。
【請求項４】
前記凹部外壁部材に前方に突出する突出部を設け、前記凹部外壁取付部の突出部挿通孔に挿通させているとともに、この突出部に雌ネジ孔を設け、ネジの緊締力によりこの突出部を上方に引き付けるようにしているとともに、この凹部外壁部材をワゴン本体の背面を形成する背板に密着して取り付けるようにしていることを特徴とする請求項１、２又は３記載のワゴン。
【請求項５】
奥行き方向にスライド移動して出し入れ可能な１又は複数の引出しを設けているとともに、この引出しの前面を形成する鏡板に前把手を具備することを特徴とする請求項１、２、３又は４記載のワゴン。
【請求項６】
前記ワゴン本体の頂板の前端部に把手を具備することを特徴とする請求項１、２、３、４又は５記載のワゴン。
【発明の詳細な説明】
【０００１】
【発明の属する技術分野】
本発明は、オフィス等に好適に用いられる机の天板下方の空間に収納可能であるワゴンに関する。
【０００２】
【従来の技術】
近年、机等の配置を容易に変更可能に構成するオフィスが考えられている。このようなオフィスでは、机には引出しを設けず、その代わりに机の天板下方の空間に、移動可能に構成され、例えば前方に開口する収納空間を有し、この収納空間に引出しを設けたワゴンを配置して書類等の物品を収納するようにしている。このようなワゴンは、直方体状をなすものが多い。（例えば特許文献１、２参照。）
【０００３】
【特許文献１】
特開平５−７６４３４号公報
【特許文献２】
特開平７−２８４４１６号公報
【０００４】
【発明が解決しようとする課題】
ところで、机の脚間かつ天板の下方にあたる位置には、補強のために横架材が設けられていることがある。このような机の天板下方の空間に上述したようなワゴンを配置すると、その高さ寸法及び奥行き寸法を天板下方の空間の高さ寸法及び奥行き寸法に略一致させた場合、ワゴンの後部が前記横架材に当たってワゴンの全体を机の天板下方に収納できなくなる不具合が起こり得る。このような不具合を避けるには、直方体状をなすワゴン全体が前記横架材の下端よりも下方に位置するようにその高さ寸法を小さくする態様や、同じく直方体状をなすワゴン全体が前記横架材よりも前方に位置するようにその奥行き寸法を小さくする態様が考えられるが、このように構成するとワゴン本体内部の収納空間が小さくなってしまい、また、ワゴンの上方や後方に無駄なスペースが発生する。
【０００５】
一方、このようなワゴンはオフィス空間内を容易に移動させることが可能であることが求められるが、オフィス空間の床面はすべて平坦であるとは限らない。例えば、オフィス空間の一部を二重床構造にしてオフィス空間の床面と建造物の床面との間に電源ケーブルや通信ケーブル等を配置する構成や、これらケーブル類を床面に這わせているとともにカバーにより被覆する構成のオフィスが考えられている。しかし、これらのような構成のオフィスは、二重床構造にしている部分とそうでない部分との境界や、ケーブルを被覆するカバーの部分に段差が生じる。従って、このような段差を容易に乗り越させて移動させることができる構成のワゴンが求められている。
【０００６】
本発明は、以上に述べた課題を解決し、机の天板下方に好適に収納できるとともに、段差を容易に乗り越させて移動させることができるワゴンを提供するものである。
【０００７】
【課題を解決するための手段】
すなわち本発明に係るワゴンは、脚間かつ天板の下方にあたる位置に横架材が設けられている机とともに用いられ、前方に開口する収納空間をワゴン本体に形成しているとともに、ワゴン本体の後上端部に幅寸法全域にわたって前記横架材を収納可能な凹部を設け、この凹部の外壁の少なくとも一部をなす凹部外壁部材に後把手を一体に設けていることを特徴とする。
【０００８】
このように構成したものであれば、後上端部に幅寸法全域にわたって前記横架材を収納可能な凹部を設けているので、机の脚間に設けられる横架材をこの凹部に収納することにより、ワゴン本体の高さ寸法及び奥行き寸法を天板下方の空間の高さ寸法及び奥行き寸法の略全域にわたるようにすることができる。すなわち、収納空間を最大限確保し、ワゴンの上方及び後方に無駄なスペースが発生しないようにしつつ、このような机の天板下方に好適に配置できる構成を実現することができる。しかも、この凹部の外壁を形成する凹部外壁部材を後把手と一体に設けているので、段差を乗り越えやすくすべく後上端部に後把手を設ける構成を簡単に実現できる。さらに、後上端部に凹部を設けていることにより、ワゴンの前端から前記凹部に位置する後把手までの距離は、凹部を設けずに背面の上端部に後把手を設ける場合と比較して短くなり、ワゴンの前端と前記凹部に設けた後把手との両方を把持して段差を越えてワゴンを移動させる操作をより簡単に行うことができる。ここで、「前記横架材を収納可能な凹部を設け」とは、略直方体状をなすワゴン本体の後上端部に切欠又は凹部を設け、この切欠又は凹部部分に前記横架材を位置させることを可能にすること全般を含む概念である。また、「凹部外壁部材に後把手を一体に設ける」とは、後把手をワゴンの幅方向の全域にわたって設け、その外壁を凹部外壁部材として形成する態様も含む。
【０００９】
ワゴンを引出す際に前記横架材が干渉しないようにするには、前記凹部外壁部材に、その上部に起立面を設けているとともに、この起立面が横架材に面的に当接し、さらにこの起立面の下端を前記横架材の下端と一致させるか又はさらに下方に位置付けているものであればよい。このように構成すれば、このワゴンを机の天板下方に最大限に移動させた状態では前記起立面及びワゴンの頂板の背面のみが前記横架材に当接するからである。
【００１０】
後把手を前方、すなわち収納空間側に突出させることにより手を奥まで入れることができるようにするとともに、この後把手を一体に設けている凹部外壁部材を安定して取り付けるようにできるようにするには、前記後把手を前方に突出させて設け、この後把手の上面をワゴン本体の一部に当接させているものであればよい。
【００１１】
凹部外壁部材をさらに安定して取り付けることができるようにするには、前記凹部外壁部材に前方に突出する突出部を設け、前記凹部外壁取付部の突出部挿通孔に挿通させているとともに、この突出部に雌ネジ孔を設け、ネジの緊締力によりこの突出部を上方に引き付けるようにしているとともに、この凹部外壁部材をワゴン本体の背面を形成する背板に密着して取り付けるようにしているものであってもよい。
【００１２】
このようなワゴンを段差を乗り越えて移動させる操作をさらに簡単に行うことができるようにするには、奥行き方向にスライド移動して出し入れ可能な１又は複数の引出しを設けているとともに、この引出しの前面を形成する鏡板に前把手を具備しているものであればよい。段差を越えてワゴンを移動させる操作をこの前把手と前記後把手とを把持して行うことができるようになるからである。
【００１３】
机の天板下方から該ワゴンを前方に引出す操作を簡単に行えるようにするには、前記ワゴン本体の頂板の前端部に把手を具備させるとよい。机の天板下方から該ワゴンを前方に引出す操作を前記把手に手を掛けて容易に行うことができるようになるからである。
【００１４】
【発明の実施の形態】
以下、本発明の一実施形態を、図面を参照して説明する。
【００１５】
本実施形態に係るワゴンＷは、正面図を図１、側面図を図２、背面図を図３、平面図を図４にそれぞれ示すように、ワゴン本体１と引出し２とを具備するものであり、前記図２及び図３に示すように、脚Ｄ１間かつ天板Ｄ２の下方にあたる位置に横架材Ｄ３が設けられている想像線に示す机Ｄとともに用いられる。
【００１６】
前記ワゴン本体１は、前記机Ｄの天板Ｄ２下方の空間に収納可能な高さ寸法及び奥行き寸法を有する。また、従来の引出しを有するこの種のワゴンとして周知のものと略同様に、左右１対の側板１１と背面を形成する背板１２とを１枚の金属板を板金加工して形成し、これら側板１１及び背板１２を、その下面にキャスタ１３１を具備する底板１３の上方に取り付けてなるとともに、前記側板１１及び背板１２の上方に、頂板１４をさらに取り付けて構成している。前記側板１１は、図５に示すように、その上端部を内方に折り返している。頂板１４は、図５に示すように、側板１１の前端部近傍間及び後端部近傍間にそれぞれ掛け渡して設けられた前頂板受１４ａ及び後頂板受１４ｂを介して取り付けるようにしていて、これら前頂板受１４ａ、後頂板受１４ｂ、及び側板１１上端がこの頂板１４を支持する。そして、これら側板１１、背板１２、底板１３、及び頂板１４により外部の空間と区切られた空間を、物品を収納する収納空間としている。また、頂板１４の上面の前端部には、このワゴンＷを机の天板下方から簡単に前方に引出せるようにすべく、上把手１４１を設けている。前記側板１１の収納空間側の面には、従来の引出しを有するこの種のワゴンとして周知のものと同様に、図示しない引出し案内レールを取り付けている。
【００１７】
前記引出し２は、本実施形態では通常のワゴンに用いられる引出しと略同様に構成している２台の大引出し２ａと、従来の引出し付き机における長引出しと同様の機能を有し、標準的な長引出しと略同一の高さ寸法を有する１台の小引出し２ｂとの２種を設けていて、前記小引出し２ｂを２台の大引出し２ａよりも上方に位置させている。前記大引出し２ａの鏡板２ａ１には前把手２ａ２が設けられ、この前把手２ａ２に手を掛けてこの大引出し２ａを収納空間Ｓから前方に引出したり収納空間Ｓに収納したりするようにしている。前記小引出し２ｂの鏡板２ｂ１にも前把手２ｂ２が設けられていて、同様にこの前把手２ｂ２に手を掛けてこの小引出し２ｂを収納空間Ｓから前方に引出したり収納空間Ｓに収納したりするようにしている。
【００１８】
しかして本実施形態では、前記図２〜５に示すように、ワゴン本体１の後上端部に幅寸法全域にわたって前記横架材Ｄ３を収納可能な凹部１ｘを設け、この凹部１ｘの外壁として、図６に示すような後把手１５１を一体に設けている凹部外壁部材１５を前記背板１２の上方に取り付けるようにしている。この凹部外壁部材１５は、本実施形態では凹部の外壁の全域を形成する。そして、前記図２に示すように、この凹部１ｘに前記机Ｄの横架材Ｄ３が収納される位置にこのワゴンＷを配置するようにしている。なお、前記図６において、（ａ）は平面図、（ｂ）は背面図、（ｃ）は側面図である。
【００１９】
凹部外壁部材１５は、本実施形態では樹脂により形成されていて、略真後ろを向く起立面と後上方を向く傾斜面とを具備し、ワゴンＷの幅方向に延伸する屈曲した板状をなす凹部外壁本体１５２と、幅方向中央部に位置し、前記凹部外壁本体１５２から前方に突出しているとともに後方に開口する形状をなす前記後把手１５１と、前記凹部外壁本体１５２の前面の幅方向左右両端近傍から前方に突出して設けられているとともに、上方に開口したチャネル状をなす突出部１５３とを具備する。また、前記凹部外壁本体１５２の前面の縁部には、突条１５２ａを前方に突出させて設けていて、この突条１５２ａが、前記側板１１又は前記頂板１４に当接するようにしている。さらに、この凹部外壁部材１５の後下端部には切欠１５ｘを設けていて、この切欠１５ｘが前記背板１２に当接するようにしている。さらに、この凹部外壁部材１５は、その上部の幅寸法全域にわたって鉛直に起立して後方を向く起立面１５ａを有するとともに、この起立面１５ａの下端を机Ｄの天板Ｄ２下方に設けた前記横架材Ｄ３の下端よりもさらに下方に位置付けている。そして、凹部外壁本体１５２の下部は、その外面を後上方を向く傾斜面１５ｂとしている。この凹部外壁部材１５を取り付けた状態における中央縦側断面図を図７、前記突出部の幅方向中央に対応する部分を切断した縦断側面図を図８に示す。なお、これら図７及び図８には、机Ｄの天板Ｄ２及び前記横架材Ｄ３を想像線により示している。
【００２０】
前記後頂板受１４ｂは、前記図７及び図８に示すように、本実施形態では頂板１４を支持する頂板受部１４ｂ１の他に、頂板１４の後端に対応する部位に起立して設けられる凹部外壁取付部１４ｂ２と、背板に当接する当接部１４ｂ３と、前記凹部外壁取付部１４ｂ２と前記当接部１４ｂ３とを接続する接続部１４ｂ４とを収納空間内部に具備し、これら全てを１枚の金属板を板金加工して形成している。すなわち、前記頂板受部１４ｂ１の後端を下方に屈曲させて凹部外壁取付部１４ｂ２を形成し、この凹部外壁取付部１４ｂ２の下端を後方に屈曲させて前記接続部１４ｂ４、そして前記接続部１４ｂ４の後端を下方に屈曲させて前記当接部１４ｂ３をそれぞれ形成している。また、前記頂板受部１４ｂ１、前記凹部外壁取付部１４ｂ２、及び接続部１４ｂ４の左右両端部を屈曲させて取付部１４ｂ９を設け、この取付部１４ｂ９を側板１１に熔接している。そして、前記凹部外壁取付部１４ｂ２の幅方向中央部には把手取付孔１４ｂ５を設け、前記図７に示すように前記後把手１５１を挿通させるようにしているとともに、その左右両端近傍には突出部挿通孔１４ｂ６を設けていて、前記図８に示すように前記突出部１５３を挿通させるようにしている。
【００２１】
さらに、前記頂板受部１４ｂ１にはネジ挿通孔１４ｂ７が設けられているとともに、前記突出部１５３には雌ねじ孔１５３ａが設けられていて、雄ネジ部材ｖを前記ネジ挿通孔１４ｂ７を挿通させて前記雌ねじ孔１５３ａにネジ止めすると、ネジの緊締力により、突出部１５３は図８の矢印ａに示すように上方に引き付けられる。
【００２２】
この凹部外壁部材１５を取り付けた状態では、前記図７に示すように、後把手１５１は前記把手取付孔１４ｂ５の上縁部に略当接しているとともに、前記突出部１５３は前記突出部挿通孔１４ｂ６の上縁部に当接している。
【００２３】
加えて、頂板１４の後端部には樹脂製の後カバー１４１を設けていて、この後カバー１４１の背面が前記凹部外壁部材１５の起立面１５ａと面一になるようにしている。
【００２４】
以上のように、本実施形態に係るワゴンＷは、ワゴン本体１の後上端部に幅寸法全域にわたって凹部１ｘを設けているとともに、この凹部１ｘの外壁をなす凹部外壁部材１５に後把手１５１を一体に設けているので、机Ｄの脚Ｄ１間に設けられる横架材Ｄ３をこの凹部１ｘに収納することにより、ワゴン本体１の高さ寸法及び奥行き寸法を天板Ｄ２下方の空間の高さ寸法及び奥行き寸法の略全域にわたるようにする構成を実現できる。すなわち、収納空間を最大限確保し、ワゴンＷの上方及び後方に無駄なスペースが発生しないようにしつつ、脚Ｄ１間に横架材Ｄ３を有する机Ｄの天板Ｄ２下方に好適に配置できる構成を実現することができる。また、この凹部１ｘの外壁を形成する凹部外壁部材１５を後把手１５１と一体に成型しているので、段差を乗り越えやすくすべく後上端部に後把手１５１を設ける構成を簡単に実現できる。しかも、後上端部に凹部１ｘを設けていることにより、ワゴンＷの前端から後把手１５１までの距離は短くなり、ワゴンＷの前端と前記後把手１５１との両方を把持して段差を越えてワゴンＷを移動させる操作をより簡単に行うことができる。
【００２５】
前記凹部外壁部材１５に、その上部の幅寸法全域にわたって鉛直に起立して後方を向く起立面１５ａを設けるとともに、この起立面１５ａの下端を机の天板下方に設けた横架材の下端よりさらに下方に位置付けているので、このワゴンＷを机Ｄの天板Ｄ２下方に最大限に移動させた状態では、前記図２、図７、及び図８に示すように、前記起立面１５ａ及び頂板１４の背面のみが前記横架材Ｄ３に当接し、ワゴンＷを引出す際に前記横架材Ｄ３が干渉しないようにできる。
【００２６】
前記後把手１５１を前方に突出させて設けているとともに、この後把手１５１を前記把手取付孔１４ｂ５に挿通させ、さらにその上縁部に略当接させているので、この後把手１５１を設けた凹部外壁部材１５を安定して取り付けることができるとともに、この後把手１５１の操作の際にがたつくことが起こりにくくなる。
【００２７】
前記突出部１５３は前記突出部挿通孔１４ｂ６を貫通しているとともに、前記突出部１５３を上方からネジ止めすると、ネジの緊締力により突出部１５３は上方に引き付けられるようにしているので、この緊締力が前記突出部挿通孔１４ｂ６の上縁を支点として、凹部外壁部材１５の後下端部の切欠１５ｘ付近を図８の矢印ｂに示すように前記背板１３に密着させる作用として伝えられ、凹部外壁部材１５を安定して取り付けることができる。
【００２８】
また、このワゴンＷは、奥行き方向にスライド移動して出し入れ可能な複数の引出し２ａ、２ｂを設けているとともに、この引出し２ａ、２ｂの前面を形成する鏡板２ａ１、２ｂ１に把手２ａ２、２ｂ２を設けているので、特にこのワゴンＷの上端部に位置する小引出し２ｂの把手２ｂ２と前記後把手１５１との両方を把持することにより、上述した操作をさらに簡単に行うことができる。
【００２９】
なお、本発明は以上に述べた実施形態に限られない。
【００３０】
例えば、引出しの鏡板に設ける前把手の形状は、種々に設定して構わない。また、引出しを設ける代わりに、収納空間の前側部に設けられた回転軸を中心に回転可能であり、収納空間を隠蔽する閉止位置と、前記閉止位置から前記回転軸を中心に所定角度回転させた開成位置との間で移動可能に構成した戸を設けてもよいし、このような戸と引出しとの両方を設けるようにしてもよい。
【００３１】
また、ワゴンの頂板の上面に上把手を必ずしも設けなくてもよい。この場合、ワゴンの前面の上端部を頂板と一体に成型し、このワゴンの前面の上端部に把手を設ければ、頂板に上把手を設けた場合と略同様に、この上把手に手を掛けてワゴンを机の天板下方から前方に引出すことができるようになる。
【００３２】
さらに、後把手は必ずしも前方に突出させる必要はない。この場合、例えば凹部外壁部材に有底の穴を設けるとともに、この穴の上縁に、下方に突出して幅方向に延びる突条を設けるような態様が考えられる。
【００３３】
加えて、凹部外壁部材の取り付けは、上述した実施形態に述べたような方法でなくともよい。例えば、突出部は省略して代わりに雌ネジ孔を設けるとともに、凹部外壁取付部にネジ挿通孔を設け、前方からネジ止めするようにしてもよい。
【００３４】
そして、凹部外壁部材の起立面の下端を机の天板下方に設けた前記横架材の下端と略一致させてもワゴンを引出す際に前記横架材が干渉しないようにできる効果を得ることはできる。
【００３５】
さらに、後把手をワゴンの幅方向の全域にわたって設け、その外壁を凹部外壁部材として形成するとともに、その上面をワゴン本体の一部である頂板の下面に当接させるようにしてもよい。
【００３６】
その他、本発明の趣旨を損ねない範囲で種々に変形してよい。
【００３７】
【発明の効果】
本発明に係るワゴンは、後上端部に机の脚間に設けられる横架材を収納可能な凹部を設けているので、前記横架材をこの凹部に収納することにより、収納空間の高さ寸法及び奥行き寸法を天板下方の空間の高さ寸法及び奥行き寸法の略全域にわたるようにすることができる。すなわち、収納空間を最大限確保し、ワゴンの上方及び後方に無駄なスペースが発生しないようにしつつ、このような机の天板下方に好適に配置できる構成を実現することができる。また、この凹部の外壁を形成する凹部外壁部材を後把手と一体に成型しているので、簡単な構成により段差を乗り越えやすくすべく後把手を設けることができる。しかも、後上端部に凹部を設けていることにより、ワゴンの前端から後把手までの距離は短くなり、ワゴンの上前端と前記凹部に設けた後把手との両方を把持して段差を越えてワゴンを移動させる操作をより簡単に行うことができる。
【図面の簡単な説明】
【図１】本発明の一実施形態に係るワゴンの正面図。
【図２】同実施形態に係るワゴンの側面図。
【図３】同実施形態に係るワゴンの背面図。
【図４】同実施形態に係るワゴンの平面図。
【図５】同実施形態に係るワゴンの天板及び凹部外壁部材の取り付け態様を示す図。
【図６】同実施形態に係るワゴンの凹部外壁部材を示す図。
【図７】同実施形態に係るワゴンの凹部外壁部材付近の中央縦側断面図。
【図８】同実施形態に係るワゴンの凹部外壁部材の突出部付近の縦側断面図。
【符号の説明】
Ｗ…ワゴン
１…ワゴン本体
１ｘ…凹部
１４ｂ２…凹部外壁取付部
１５…凹部外壁部材
１５１…後把手
１５３…突出部
１５ａ…起立面
２ａ…大引出し（引出し）
２ｂ…小引出し（引出し）
２ａ１、２ｂ１…鏡板
２ａ２、２ｂ２…前把手
Ｄ…机
Ｄ３…横架材
【図１】
2004202176.tif 000003
【図２】
2004202176.tif 000004
【図３】
2004202176.tif 000005
【図４】
2004202176.tif 000006
【図５】
2004202176.tif 000007
【図６】
2004202176.tif 000008
【図７】
2004202176.tif 000009
【図８】
2004202176.tif 000010